(57)【特許請求の範囲】
【請求項１】
関節基部と、
この関節基部に設けられた関節軸と、
この関節軸を軸とした回転動作を行う回動部材と、
前記関節軸の軸回りを回転する回転駆動体と、
この回転駆動体に回転力を与える駆動手段と、
前記回転駆動体内に収められ、前記回転駆動体の回転力を前記回動部材に伝える弾性部材と
を備え、
前記弾性部材は、一部が切断されたリング形状を有し、
前記リング形状の弾性部材は、
その一方の面上に配置された第１の平板部材と、
その他方の面上に配置された第２の平板部材と
を備え、
前記第１の平板部材は、前記回転駆動体に対して拘束され、
前記第２の平板部材は、前記回動部材に対して拘束され、
前記第１および第２の平板部材は、互いに上下に重ならない部分を有し、
前記第１および第２の平板部材のそれぞれは、前記リング形状の弾性部材の一端および他端に固定され、それ以外の部分で前記弾性部材から浮いている構造であることを特徴とするロボットの関節機構。
【請求項２】
前記弾性部材とは別に、前記回転駆動体の回転力を前記回動部材に伝達する伝達手段を備え、
前記伝達手段は、
前記回転駆動体に設けられたストッパ用突起と、
前記回動部材に設けられ、前記ストッパ用突起を係止する係止部と
を備え、
前記ストッパ用突起は、前記弾性部材の変形量が所定の値になった段階で、前記係止部に接触し、この接触部分によって前記回転駆動体の回転力が前記回動部材に伝達されることを特徴とする請求項１に記載のロボットの関節機構。
【請求項３】
前記回動部材には、前記ストッパ用突起をガイドするガイド部が設けられ、
このガイド部の端部に前記係止部が形成され、
前記回動部材の回動時に前記ストッパ用突起は前記ガイド部に沿って動き、
前記ストッパ用突起は、前記弾性部材の変形量が所定の値になった段階で、前記ガイド部の端部に接触し、この接触部分によって前記回転駆動体の回転力が前記回動部材に伝達されることを特徴とする請求項２に記載のロボットの関節機構。
【請求項４】
前記回転駆動体は、ウォームホイールであり、
前記駆動手段はウォームであることを特徴とする請求項１〜３のいずれかに記載のロボットの関節機構。
【請求項５】
前記リング形状の弾性部材の外周に歪ゲージが配置されていることを特徴とする請求項１に記載のロボットの関節機構。
【発明の詳細な説明】
【技術分野】
【０００１】
本発明は、ロボットの関節、特に手の指関節において、機械的なコンプライアンスを実現する構成に関する。
【背景技術】
【０００２】
近年、ロボットの発達はめざましく、特に人型ロボットに代表される対人親和性を考慮した移動ロボットは、実用化の域に到達しつつある。ロボットが、人間と同様な作業を行う場合、その手先の動きや機構に、衝撃緩和性、柔軟性、なじみ性、追従性が必要となる（以下、これらをコンプライアンスと表現する）。例えば人間であれば、手で物を掴んでいる状態において、何らかの衝撃がその掴んでいる物に加わった場合、指関節や手のひらの柔軟性が働いて、その衝撃が体の骨格構造に直に作用しないようになっている。また、人間が手で物を掴む場合、物にいきなり強い圧力が加わらないように柔軟に力加減を調整した動きが行われる。
【０００３】
このような人間の手先が備えている機能は、ロボットの手先にも要求される。この要求に応える技術としては、指関節等を駆動するアクチュエータやサーボモータの電気的な制御を微妙に調整する方法がある。この方法においては、例えば、指先に圧力センサを配置し、そのセンシング出力をデジタル処理して、制御信号を生成し、アクチュエータやサーボモータを電気的に制御することで、上述したコンプライアンスを電気的に実現する。また、コンプライアンスを機械的な機構によって実現しようとする試みもなされている。なお、ロボットの手先に関する技術としては、特許文献１〜７に記載された技術が公知である。
【０００４】
【特許文献１】特公平６―１０４３１０号公報
【特許文献２】特開平１１―２４５１８７号公報
【特許文献３】特許第２８４９０５６号公報
【特許文献４】特開平８―１２６９８４号公報
【特許文献５】特開２００１―２８７１８２号公報
【特許文献６】特開２００３―１１７８７３号公報
【特許文献７】特開２００５―８８１４７号公報
【発明の開示】
【発明が解決しようとする課題】
【０００５】
しかしながら、電気的な方法でコンプライアンスを実現しようとする場合、センシングデータに基づいて、コンピュータが演算を行い、その演算結果に基づいてアクチュエータやモータを制御しなければならないので、高精度なセンサ、データを高速サンプリングするための高速Ａ／Ｄコンバータ、演算を短時間に行うための高速ＣＰＵ、複雑な制御を実行するための複雑なプログラム等が必要となる。また、アクチュエータやモータにも広いダイナミックレンジにおいて高速でそして精密な制御が可能なものが必要となる。このため、高コスト化、消費電力の増大、ハードウェアの占有容積の増大、信頼性の低下といったデメリットが顕在化する。ロボットの実用化には、低コスト化、低消費電力化、小型化、高信頼性の確保といった事項が重要であり、このようなデメリットがあることは好ましくない。また、コンプライアンスを電気的な制御によって実現する場合、指先が対象物に接触した瞬間に発生するチャタリング現象を抑える工夫が必要となるが、そのためにさらに複雑な構成や制御が必要となるという問題もあった。
【０００６】
また、機械的な機構によってコンプライアンスを実現しようとする場合、それは弾性部材を用いて実現することになるが、限られたスペース（例えば手先の関節部分）内において、弾性部材に十分な変位量を確保することが困難であるという問題がある。特にある程度の大きな力に対して、満足のゆくコンプライアンスを得ようとする場合、大きなバネ定数を持ち、且つ大きな変位が可能なコンプライアンス機構となるが、このような機構を限られたスペースにおいて如何にして実現するのかが問題となる。
【０００７】
また、弾性部材を利用して機械的にコンプライアンスを実現する場合、関節に大きな負荷が加わった際に、弾性部材の変位があるレベルを超え、弾性部材としての性質（つまりバネとしての機能）が失われてしまう問題が発生する。
【０００８】
また、機械的にコンプライアンスを実現する場合であっても、電気的な制御が併用される場合が多く、また負荷の程度をセンシングする必要があるので、歪ゲージによって弾性部材の変位量を計測する必要があるが、省スペース化との両立もあり、効果的に弾性部材の歪を計測することは困難であった。
【０００９】
そこで本発明は、ロボットの関節機構において、機械的な方式で効果的にコンプライアンスを得ることができ、それを省スペースに収めることができる技術を提供することを目的とする。また本発明は、大きな変位量を確保することができ、また大きな負荷に対応することができる構成を提供することを他の目的とする。また本発明は、効果的に負荷の程度を検出することができる構成を提供することを他の目的とする。
【課題を解決するための手段】
【００１０】
本発明のロボット関節機構は、関節基部と、この関節基部に設けられた関節軸と、この関節軸を軸とした回転動作を行う回動部材と、前記関節軸の軸回りを回転する回転駆動体と、この回転駆動体に回転力を与える駆動手段と、前記回転駆動体内に収められ、前記回転駆動体の回転力を前記回動部材に伝える弾性部材とを備え、前記弾性部材は、一部が切断されたリング形状を有し、前記リング形状の弾性部材は、その一方の面上に配置された第１の平板部材と、その他方の面上に配置された第２の平板部材とを備え、前記第１の平板部材は、前記回転駆動体に対して拘束され、前記第２の平板部材は、前記回動部材に対して拘束され、前記第１および第２の平板部材は、互いに上下に重ならない部分を有し、前記第１および第２の平板部材のそれぞれは、前記リング形状の弾性部材の一端および他端に固定され、それ以外の部分で前記弾性部材から浮いている構造であることを特徴とする。
【００１１】
上記の発明において、関節基部というのは、回動部材を関節によって支えるベース部分のことをいう。例えば、人間の手先に模した構造であれば、関節基部が掌に相当する構造体であり、指が回動部材となる。また、関節軸というのは、関節の動きを可能にする回転軸のことをいう。
【００１２】
回転駆動体というのは、ギアリング（歯車）やプーリのような、適当な駆動機構から伝達される駆動力によって回転し、駆動力を発生する部材のことをいう。代表的な回転駆動体としては、平歯車が挙げられるが、歯車の種類はそれに限定されず、はすば歯車（ヘリカルギヤ）等の他の歯車構造を利用することもできる。また、回転駆動体として、ワイヤ、ベルト、チェーン等によって駆動されるプーリを採用することもできる。
【００１３】
回転駆動体に回転力を与える駆動手段というのは、例えば回転駆動体がギアリングであれば、それに噛み合うウォーム、それに噛み合う駆動用のギアリングが挙げられ、例えば回転駆動体がプーリであれば、それを駆動するプーリ機構を挙げることができる。弾性部材は、回転駆動体の内部に収められた状態において、回転駆動体の回転力を回動部材に伝達する。例えば、負荷が弱ければ、弾性部材が変形せずに力の伝達が行われ、負荷がある程度大きければ、弾性部材が変形しつつ力の伝達が行われる。弾性体としては、板バネを利用したもの、トーションバネを利用したもの、コイルバネや渦巻バネを利用したもの等を挙げることができる。
【００１４】
上記の発明によれば、駆動手段からの駆動力が回転駆動体に伝達され、回転駆動体が関節軸の回りを回転しようとすると、その回転力が弾性部材を介して、回動部材に伝わり、回動部材が関節軸を軸中心とした回転動作を行おうとする。この際、回動部材を動かす駆動力が弾性部材を介して伝わるので、回動部材の動きにコンプライアンスを与えることができる。例えば、掌部に関節を介して可動可能に連結された指部を動かす場合、掌に対する指部の動きが、弾性部材を介したものとなるので、負荷の状況によっては、その駆動力が弾性部材に吸収され、指部の動きにコンプライアンスを与えることができる。
【００１５】
また上記の発明によれば、回動部材に力が加わった際に、その力が弾性部材を介して回転駆動体に加わるので、回動部材に加わる力を弾性部材によって吸収することができる。例えば、回動部材に衝撃が加わった際に、その衝撃を弾性部材によって緩和し、その衝撃がそのまま回転駆動体に加わらないようにすることができる。この機能により、例えばロボットの手先に加わる衝撃が、関節さらに手の骨格構造に直接加わることを防止することができる。また本発明によれば、弾性部材を回転駆動体内に収めた構造となるので、上述したようなコンプライアンスを得ることができる構造を省スペースで実現することができる。
【００１６】
以下、本発明の原理を説明する。図１は、本発明の原理を説明する概念図である。図１（Ａ）には、図示しない関節基部に軸支された関節軸１０１、関節軸１０１を軸とした回転動作を行う回動部材１０２（例えば指）、関節軸１０１の軸回りを回転し、回動部材１０２に駆動力を伝えるウォームホイール１０３（回転駆動体）、このウォームホイール１０３に回転力を与える駆動手段であるウォーム１０４、ウォームホイール１０３内に収められ、その回転力を回動部材１０２に伝える一対のバネ（弾性部材）１０５が示されている。この構成においては、ウォームホイール１０３の内部に張り出した凸部１０６の部分において、一対のバネ１０５の一端が回転駆動体１０３に固定され、他端が回動部材１０２に接触している。また、回転駆動体１０３の外周には、ギアの歯が形成され、それがウォーム１０４のスクリュー状のネジ山に噛み合う構造となっている。また、回転駆動体１０３の一部に開口１０７が形成され、そこから回動部材１０２が外部に延出している。
【００１７】
この構成において、回動部材１０２によって物体１０８に力を加える場合を説明する。まず、ウォームギア１０４が回転し、その駆動力がウォームホイール１０３に伝わり、ウォームホイール１０３が、矢印１０９の向きに回転するとする（図１（Ｂ））。この場合、バネ１０５の片側は、この回転に従って縮み、圧縮されてゆく。このバネ１０５の圧縮に対する反発力は、回動部材１０２を押し、回動部材１０２を矢印１１１の方向に回転させようとする駆動力となる。つまり、ウォームホイール１０３の回転力が、バネ１０５を介して回動部材１０２に伝達される。
【００１８】
ここで、物体１０８の質量に対してバネ１０５のバネ力（反発力）が小さい場合を想定する。この場合、図１（Ｂ）の状態において、バネ１０５から伝達される力では、回動部材１０２は回転せず、その力はバネ１０５の変形として吸収される。そして、ウォームホイール１０３がある程度回転し、開口１０７の端部１１０が回動部材１０２に接触した段階（図１（Ｃ））に至って、ウォームホイール１０３の回転力が回動部材１０２に直に伝わる。この図１（Ｃ）に示す段階に至り、ウォーム１０４の駆動力が、ウォームホイール１０３を介して、回動部材１０２に直接伝達され、回動部材１０２が物体１０８を押して回転する状態となる。
【００１９】
この動作原理によれば、バネ１０５を介した回動部材１０２への力の伝達は、バネ１０５の弾性によって緩和され、それによりコンプライアンスを伴った力の伝達となる。すなわち、ウォームホイール１０３がある程度回転するまでは、ウォームホイール１０３の回転力が弾性体であるバネ１０５を介して回動部材１０２に伝わり、ある段階から、ウォームホイール１０３から回動部材１０２に直に力が伝わる。こうして、回動部材１０２を用いて物体１０８に力を加える際に、いきなり強い力が瞬間的に伝達されるのではなく、力がある上昇曲線を描いて物体１０８に加わる柔軟性（コンプライアンス）を機械的に実現することができる。
【００２０】
図１の概念図に示すように、本発明においては、回動部材１０２に、ウォームホイール１０３から駆動力を伝えるバネ（弾性部材）１０５が、回転駆動体であるウォームホイール１０３内に収納されている。このため、上述したような機械的なコンプライアンスを実現しつつ、機構全体の占有スペースを小さくすることができる。また、機構の要であるバネ１０５が、ギアリングによって保護された構造となるので、高い信頼性および耐久性を得ることができる。
【００２１】
またこのコンプライアンスは、回動部材１０２が力を受けた際にも発現する。例えば、回動部材１０２に外部から力が加わると、それがまずバネ１０５に伝わり、その力によってバネ１０５が縮み、ある程度バネ１０５が縮んだ段階で端部１１０に回動部材１０２が接触し、回動部材１０２からウォームホイール１０３に直に力が伝わる。この場合も、回動部材１０２が力を受けた最初の段階は、バネ１０５の弾性によって力が受け止められるので、いきなり強い力が瞬間的にウォームホイール１０３に伝わらない柔軟性を得ることができる。また、バネ１０５の変形の範囲内において、回動部材１０２が弾性を伴った変位を行うので、柔軟性を有した回動部材１０２の動きを実現することができる。
【００２２】
本発明において、弾性部材とは別に、回転駆動体の動きを回動部材に伝達する伝達手段を備え、この伝達手段の伝達機能は、弾性部材の変形量（または回動部材の回転駆動体に対する相対的な変位量）が所定の値になった段階で発現する構成とすることは好ましい。この態様によれば、駆動手段からの駆動力を受けて回転駆動体が回転し、その回転力が回動部材に伝わり、回動部材が関節軸回りの回転動作を行う際に、回転駆動体の回転し始めの段階では、その変位量が小さいので、伝達手段は機能せず、回転駆動体から回動部材への力の伝達は、弾性部材を介して行われる（この際、コンプライアンスが得られる）。そして、回転駆動体がある程度動いた段階（弾性部材がある程度変形した段階）で、伝達手段が機能し始め、伝達手段を介して、回転駆動体から回動部材への駆動力の伝達が行われる。
【００２３】
すなわち図１に示す概念図の例でいうと、ウォーム１０４が回転することで、ウォームホイール（回転駆動体）１０３が回転し始めると、図１（Ｂ）に示すように、最初は、その回転力がバネ（弾性部材）１０５を介して回動部材１０２に伝わる。そして、ウォームホイール（回転駆動体）１０３がある程度回転し、開口１０７の端部１１０が回動部材１０２に接触した段階で、この接触部分が伝達手段として機能し始め、ウォームホイール（回転駆動体）１０３から回動部材１０２に駆動力が伝わり、駆動力の伝達が行われる。
【００２４】
また、回動部材１０２に力が加わった際は、最初の段階でバネ（弾性部材）１０５を介して回動部材１０２からウォームホイール（回転駆動体）１０３に力が加わるが、回動部材１０２がある程度動いた段階（バネ（弾性部材）１０５がある程度変形した時点）で、開口１０７の端部１１０が回動部材１０２に接触し、この接触部分が伝達手段として機能し始めることで、この伝達手段を介して回動部材１０２からウォームホイール１０３への力の伝達が行われる。
【００２５】
この伝達機能を利用した動作によれば、弾性部材がある程度変形した段階で伝達手段による回転駆動体と回動部材間との間の直接の力の伝達が行われるようになるので、その時点以降は、弾性部材は変形しない。したがって、弾性部材の変形限界を超えることによる弾性部材の破壊や弾性機能の低下を招くことが防止される。また、弾性部材の変形がある程度進んだ段階から先は、回転駆動体が直接回動部材を回転させるので、弾性部材の変形量に制限されずに、回動部材先端の変位量を大きく確保することができる。つまり、動作の変位量を大きく確保することができる。また、弾性部材の変形の上限が制限されるので、弾性部材の限界を超えた大きな負荷に対応することができる。
【００２６】
上述したような、回転駆動体の変位量が所定の値になった段階で伝達機能を発現する伝達手段として、回転駆動体に設けられたストッパ用突起と、回動部材に設けられたストッパ用突起を係止する係止部とを備え、ストッパ用突起は、弾性部材の変形量が所定の値になった段階で、係止部に接触し、この接触部分によって回転駆動体の回転力が回動部材に伝達される態様を挙げることができる。この態様によれば、回転駆動体が回転し、回動部材を動かす場合において、回転駆動体の回転初期段階においては、ストッパ用突起が係止されず、弾性部材の変位量（または回動部材の回転駆動体に対する相対的な変位量）があるレベルに達した段階で、ストッパ用突起が係止部で係止され、この係止部分を介して回転駆動体の回転力が回動部材に伝達される。また逆に、外部から回動部材に力が加わる場合、回動部材の回転初期段階においては、ストッパ用突起に対する係止は行われず、回動部材の回転変位量があるレベルに達した段階で、係止部にストッパ用突起が係止され、その後は、この係止部分を介して回動部材を回転させようとする力が回転駆動体に伝達される。係止部は、ストッパ用突起が接触し、ストッパ用突起の動きが回動部材に直接伝わる構造であればよい。係止部としては、後述するスリット等のガイド構造、ストッパ用突起が引っ掛かる段差構造やストッパ用突起を受け入れる凹型構造を挙げることができる。
【００２７】
上記の係止部を備えた構造として、回動部材に設けられ、ストッパ用突起をガイドするガイド部を挙げることができる。この場合、係止部はガイド部の端部に形成される。この態様において、回転駆動体が回転すると、ストッパ用突起は、まずガイド部に沿って動き、弾性部材の変形量が所定の値になった段階で、ガイド部の端部（つまり係止部）に接触する。そして、この段階以降は、この接触部分によって回転駆動体の回転力が回動部材に伝達される。また逆に、外部から回動部材に力が加わる場合、回動部材の回転初期段階においては、ストッパ用突起に対してガイド部が相対的に動き、回動部材の回転変位量があるレベルに達した段階で、ガイド部の端部にストッパ用突起が接触し、その後は、この接触部分を介して回動部材を回転させようとする力が回転駆動体に伝達される。なお、ガイド部としては、スリット（長孔）、溝、軌道、ガイドする経路に沿った壁部や凸部を利用することができる。
【００２８】
本発明において、回転駆動体は、ウォームホイールであり、駆動手段がウォームである構成とすることは好ましい。この態様によれば、関節の駆動が、ウォームギアを用いたギア機構により行われるので、回動部材から駆動手段への力の伝達が防止され、過負荷や強い力が加わった際の回動部材の逆動作が防止される構造を得ることができる。
【００２９】
本発明において、弾性部材として、一部が切断されたリング形状（略Ｃ字型）を採用することは好ましい。この場合、リング形状に切断された部分に形成される一方の端部と他方の端部との間で変形が起こり、弾性が発現する。この態様によれば、リング形状に丸めた部材が示す弾性変形機能を利用することで、省スペース化と弾性部材のたわみ量の確保とを追求することができる。すなわち、弾性変位量を大きく確保するためには、弾性部材にある程度の長さが必要となるが、この態様においては、弾性部材を、関節軸に巻きつくような形状のリング形状とし、それを回転駆動体内に収めることで、全体を小型化しながら、効果的に関節軸回りの角度変位に対応した変形量と大きなバネ定数を確保することができる。
【００３０】
上述したリング形状の弾性部材の外周に歪ゲージを配置し、弾性部材に生じる歪を検出する構成とすることは好ましい。リング形状の弾性部材には、負荷に対応した歪みが効果的に発生するので、その歪量を歪ゲージで計測することで、関節軸に加わるトルクを高精度に検出することができる。このトルク計測値は、駆動力の源であるモータやアクチュエータの制御等に利用することができる。
【００３１】
上述したリング形状の弾性部材として、その一方の面上に配置された第１の平板部材と、その他方の面上に配置された第２の平板部材とを備え、前記第１の平板部材は、前記回転駆動体に対して拘束され、前記第２の平板部材は、前記回動部材に対して拘束され、前記第１および第２の平板部材は、互いに上下に重ならない部分を有し、前記第１および第２の平板部材は、それぞれ前記リング形状（一部が切断された略Ｃ字型）の弾性部材の一端および他端に固定され、それ以外の部分で前記弾性部材から浮いている構造を採用することは好ましい。
【００３２】
誇張して考えた場合、一部が切断されたリング形状の弾性部材の変形は、回転駆動体内において、その略Ｃ字型の形状が開いたり閉じたりする動きとしてイメージすることができる。この変形においては、リング形状の弾性部材の厚み方向への変形が生じずに、略Ｃ字型の形状が開いたり閉じたりする動きのみが生じることが理想的である。しかしながら、実際には、厚み方向への変形力も働き、一部が切断されたリング形状が捩れるように歪み、両端部が厚み方向に上下に分かれるような変形も生じる。この変形の程度が大きくなると、歪みゲージを用いた負荷の程度の計測誤差が大きくなり、また弾性が失われて復元が困難な状態となり易い。
【００３３】
上記の態様は、一部が切断されたリング形状（略Ｃ字型）の弾性部材の両面に、第１および第２の平板部材を配置することで、この不都合の発生を抑えようとするものである。すなわち、第１の平板部材と第２の平板部材によって上面および下面の重ならない部分が押さえられる（覆われる）ので、弾性部材の捻れ変形がある程度抑えられる。また、全面を押さえない（例えば半分の面積を平板部材で覆う）ので、捻れ変形が多少許容されて、コンプライアンスの発現に好ましい変形を生じ易くすることができる。
【００３４】
本発明の適用対象となるロボットとしては、自律動作可能なロボットを挙げることができる。特に本発明は、人間に代わって、あるいは人間を補助して各種の作業を行うことが可能なロボットに好適である。このようなロボットは、人間の手が持つ機能になるべく近い機能を備えていることが望ましいので、本発明を適用するのに適している。なお、ロボットは、必ずしも移動可能でなければならいということはない。また、移動ロボットとしては、２足歩行型の人型ロボット以外に、動物や恐竜などを模した２足歩行型ロボット、３足以上の脚部を移動手段とした移動ロボット（例えば、４足歩行型の動物型ロボットあるいは昆虫型ロボット）、脚部の代わりに車輪や無限軌道による移動手段を備えた移動ロボット、あるいは脚部と車輪や無限軌道とを組み合わせた移動手段を備えた移動ロボット等を挙げることができる。
【発明の効果】
【００３５】
本発明によれば、ロボットの関節機構において、関節軸回りを回転する回動部材（例えば指）に回転力を与える回転駆動体の内部に弾性部材を配置し、この弾性部材を介して回転駆動体から回動部材に駆動力が伝達されるようにすることで、機械的な方式で効果的なコンプライアンスを得ることができ、さらにその機構を省スペースに収めることができる。また、弾性部材とは別に、回転駆動体の動きを回動部材に伝達する伝達手段を備え、この伝達手段の伝達機能は、弾性部材の変形量が所定の値になった段階で発現する構成とすることで、コンプライアンス機能を得ながら、同時に大きな変位量を確保でき、また大きな負荷に対応することができる。さらに、弾性部材に歪みゲージを貼り付けることで、効果的に負荷の程度を検出することができる。
【発明を実施するための最良の形態】
【００３６】
（１） 第１の実施形態
（１−１）第１の実施形態の構成
（全体の構成）
本実施形態は、本発明をロボットの手先部分（人間でいう手首から先の部分）における指の駆動機構に適用した例である。図２は、本実施形態のロボットの手先部分の概要を示す斜視図である。図２に示す構成において、手先部分２０１は、ベース部２０２、ベース部２０２に回転動作可能に連結された回動部材である第１指部２０３および第２指部２０４を備え、さらに第２指部２０４に連結された第３指部２０５を備えている。ベース部２０２は、図示しない手首関節を介して図示しない腕部（図示する構造では左腕部）に連結される。この構造において、ベース部２０２は、第１指部２０３および第２指部２０４に対して関節基部として機能し、第２指部２０４は、指としての機能に加えて第３指部２０５の関節基部としても機能する。
【００３７】
（第１指部の構成）
ベース部２０２には、第１指部関節２０６を介して、第１指部２０３が可動可能に連結されている。第１関節部２０６は、（１）ベース部２０２に設けられ、関節軸の軸孔２１７が形成されている上下一対の平板部（フランジ部）２０２ａおよび２０２ｂと、（２）これら平板部の間に軸孔２１５を軸孔２１７に合わせた状態で配置された第１指部２０３側の平板部（フランジ部）２０３ａおよび２０３ｂと、（３）平板部２０３ａと２０３ｂとの間に配置されたウォームホイール２０７およびスペーサ２２２と、（４）軸孔２１５、軸孔２１７、軸孔２１６およびスペーサ２２２の軸孔を遊嵌状態で貫通し、関節軸として機能する連結ピン２１８とを備えている。
【００３８】
回転駆動体として機能するウォームホイール２０７は、一方が開放され、他方が円環形状底板（中心の抜けた円板形状）によって部分的に塞がれている円筒容器構造を有し、その内部にウォームホイール２０７の中心軸に一致し、上下に貫通する軸孔２１６を備えた内側円筒部材２１３を備えている。内側円筒部材２１３の外径は、ウォームホイール２０７の内径より小さく、ウォームホイール２０７の内周面と内側円筒部材２１３の外周面との間には、円環空間（ドーナツ形状あるいはトロイダル形状の空間）が形成され、そこに弾性部材である歪リング２０８が収められる。ウォームホイール２０７の外周２０７ａには、ウォーム収納部２０９内に配置された図示しないウォームと噛み合う歯（ギアの歯）が形成され、また、その縁部分に、第１指部２０３の案内ガイド用スリット（長穴）２２０に遊嵌するストッパ用突起２１９を備えている。ストッパ用突起２１９は、正面から見ると、両側に段差がある凸型であり、下側の段側面が案内ガイドスリット２２０の端部に係止し、上側の段側面が平板部２０２ａのストッパ部２０２ｃおよび２０２ｄに係止する（図５参照）。また、ストッパ用突起２１９は、図５に示すように平板部２０２ａの円弧状の外周部分に沿って移動する。案内ガイド用スリット２２０は、ウォームホイール２０７の回転（連結ピン２１８の軸周りの回転）に際してのストッパ用突起２１９の移動経路に沿って形成され、第１指部２０３に対するウォームホイール２０７の相対的な移動範囲（回転範囲）を規制するガイドとして機能する。すなわち、ストッパ用突起２１９が、案内ガイドスリット２２０内に沿って動ける範囲において、第１指部２０３は、ウォームホイール２０７に対して、連結ピン２１８の軸周りの回転が可能となる。
【００３９】
図３は、歪リング２０８の外観を示す上面図（Ａ）と、（Ａ）に示す状態をＡ−Ａ’で切った断面図（Ｂ）である。なお、図３（Ａ）のＡ−Ｂで切った断面が後述する図４（Ａ）に示されている。歪リング２０８は、本発明の弾性部材の一例であり、上方から見ると、一部が切断されたリング形状（略Ｃ字型の形状あるいは閉じていないリング形状））を有し、またリング形状を構成する湾曲した部分の垂直断面が略矩形形状を有する。この例では、歪リング２０８の材質は鉄であり、一方の面（図３（Ｂ）の上面）の端部近くには、歪リング２０８を第１指部２０３に係合させるための突起２１０が配置され、他方の面（図３（Ｂ）の下面）のもう一方の端部近くには、歪リング２０８をウォームホイール２０７に係合させるための突起２１２が配置されている。この例では、突起２１２が配置された部分と突起２１０が配置された部分の間で変位が発生し、弾性が発現する。
【００４０】
本実施形態における歪リング２０８の材料としては、鉄以外の金属、樹脂材料、ゴム材料、それらの複合材料を利用することもできる。これらの材料の選択は、必要とするバネ定数に合わせて選択すればよい。
【００４１】
図２において、ベース部２０２のウォーム収納部２０９内には、ウォームホイール２０７に駆動力を与えるウォーム（図２には図示せず）が配置されており、組み付け状態において、このウォームの歯とウォームホイール２０７の外周２０７ａ上の歯とが噛み合う。ウォーム収納部２０９内のウォームは、ベース部２０２内に収められたサーボモータ（図示せず）によって駆動され、軸２２３をウォーム軸として回転する。
【００４２】
次に、図１（Ａ）に示すベース部２０２への第１指部２０３の組み付け手順（組み立て工程）について、図２および図４を用いて説明する。図４は、図２をＸ軸方向から見た側断面図であり、（Ａ）は分解状態を示し、（Ｂ）は組み立て状態を示す。
【００４３】
まず、歪リング２０８をウォームホイール２０７内に収納する。この際、ウォームホイール２０７内の底面に形成された支持孔２２４（図４（Ａ）参照）に突起２１２を差し込む。次に、軸孔２１５と軸孔２１６との位置を合わせた状態で、歪リング２０８を収納したウォームホイール２０７を、平板部２０３ａと２０３ｂとの間に位置させ、ストッパ用突起２１９を案内ガイドスリット２２０に差し込む。またこの時、同時に歪リング２０８の突起２１０を支持孔２１１に差し込む。次いで、スペーサ２２２をウォームホイール２０７の下面と平板部２０３ｂとの間に差し込み、両者の軸孔の位置を合わせ、さらにウォームホイール２０７の周囲２０７ａに形成されたギア歯をウォーム収納部２０９内に配置されたウォーム２２５（図４（Ｂ）参照）に噛み合わせる。この状態において、連結ピン２１８を軸孔２１７および軸孔２１６に貫通させ、ベース部２０２に対する第１指部２０３の軸支状態を得る。
【００４４】
こうして、図２、図５および図６に示す手先の構造を得る。図５は、図２におけるＺ軸方向から見た上面図であり、図６は、図２におけるＸ軸方向から見た側面図である。この構造においては、ベース部２０２に第１指部２０３が第１指部関節２０６によって連結され、連結ピン２１８の部分を関節軸として、第１指部２０３がベース部２０２に対して回転動作を行う。
【００４５】
この構造においては、図２および図３に示すように、ウォームホイール２０７内に歪リング２０８が収められ、その上面の突起２１０（図２参照）が第１指部２０３の支持孔２１１に遊嵌され（回転可能な状態で嵌め込まれ）、その下面の突起２１２がウォームホイール２０７底面の支持孔２２４（図３（Ａ）参照）に遊嵌される。こうして、第１指部関節２０６が組み上げられた状態において、ウォームホイール２０７と第１指部２０３とが、歪リング２０８を介して係合した状態となる。
【００４６】
この状態において、歪リング２０８は、突起２１０と突起２１２との間に力が加わることで変形し、弾性体としての機能を発現する。例えば、歪リング２０８がウォームホイール２０７内に収められた状態において、第１指部２０３の先端に力が加わり、第１指部２０３が連結ピン２１８部分の関節軸を軸として回転しようとする場合を考える。この場合、突起２１２によって歪リング２０８がウォームホイール２０７に位置決めされ、またウォームホイール２０７が図示しないウォームによって固定され回転できない状態にあるので、第１指部２０３の回転が開始すると、それにしたがって、突起２１２の部分が固定された状態で、支持孔２１１に遊嵌された突起２１０の部分が相対的に移動する。この結果、突起２１０と突起２１２との相対的な位置関係が変化し、それに伴って略Ｃ字型の歪リングが、そのＣ字形状が閉じたり開いたりするような変形を行う。この変形に対して歪リング２０８が弾性を示し、弾性部材（バネ部材）としての機能を発現する。すなわち、そのＣ字形状を閉じようとする力が働けば、それに反発し元に戻ろうとする力が生じ、そのＣ字形状を開こうとする力が働けば、やはりそれに反発し元に戻ろうとする力が生じる。この反発力によって、第１指部を動かそうとする動きに対する反発力（弾性を伴った抵抗力）が発生する。例えば、第１指部２０３をその回転運動方向に押した場合、その押す力に反発する反発力を示しつつ、第１指部２０３が動くことになる。
【００４７】
（他の部分の構成）
以上が、図２に示す第１指部２０３を中心とした構成の詳細であるが、次に手先部分２０１が備える第２指部２０４および第３指部２０５について簡単に説明する。
【００４８】
図２、図５および図６に示す構成において、第２指部２０４は、関節軸２３５を軸として、ベース部２０２に対して可動する。この可動は、モータ収納部２３１に収納されたモータ２３２により、ウォーム収納部２３３内のウォームが駆動され、それがウォームホイール２３４に伝わることで行われる。図示されていないが、ウォームホイール２３４は、ウォームホイール２０７と同様の構造であり、その内部に図示しない歪リングを納め、ウォームホイール２３４の回転が、ベース部２０２にコンプライアンスを伴って伝達される構造となっている。
【００４９】
第３指部２０５は、関節軸２３６を軸として、第２指部２０４に対して可動する。この可動は、モータ収納部２３１に収納されたモータ２３９により、図示しないウォームが駆動され、それが図示しないウォームホイールに伝わることで行われる。この関節機構においても、図示されていないが、ウォームホイールは、ウォームホイール２０７と同様の構造で、その内部に歪リングを納め、ウォームホイールの回転が、第３指部２０５にコンプライアンスを伴って伝達される構造となっている。なお、符号２３８が、案内ガイドスリット２２０に対応する案内ガイドスリットである。
【００５０】
（１−２）実施形態の動作
以下、図２に示すロボットの手先構造における第１指部２０３の動作の一例を具体的に説明する。図７は、第１指部２０３の動作の過程の一例を説明する概念図である。図７は、図２をそのＺ軸方向から見た状態を示すもので、図７（Ａ）は、無負荷状態、図７（Ｂ）は、物体７０１に接触し物体７０１を矢印７０２の方向（掌の内側方向）へ押そうと動作を開始した状態、図７（Ｃ）は、（Ｂ）の状態から進んで物体７０１を矢印７０３の方向に押している状態を示す。
【００５１】
ここでは、第１指部２０３をベース部２０２に対して動かしていない状態（図７（Ａ））を初期状態とし、そこから第１指部２０３を動かして、第１指部２０３から僅かに離れた位置に存在する物体７０１に触れ、それを動かす場合の例を説明する。なお、この例においては、第１指部２０３をベース部２０２に対して動かしていない初期状態において、ウォームホイール２０７のストッパ用突起２１９が、案内ガイドスリット２２０内の中央に遊嵌した状態にある設定構造になっているとする（図７（Ａ））。また、物体７０１を押した際に、歪リング２０８が変形し、その押す力は歪リング２０８に完全に吸収される設定（物体７０１の質量と歪リング２０８のバネ定数の関係）であるとする。
【００５２】
まず、図７（Ａ）の状態において、ウォーム２２５を図示しないサーボモータにより回転させ、ウォームホイール２０７を関節軸である連結ピン２１８を軸とした反時計回り（図７の視点あるいは図２のＺ軸方向からの視点から見た場合）に回転させる。このウォームホイール２０７の反時計回りの回転は、図２の突起２１２を介して歪リング２０８に伝わり、さらに支持孔２１１に遊嵌された突起２１０を介して第１指部２０３に伝わる。この結果、第１指部２０３は、関節軸である連結ピン２１８を軸とした反時計回りに回転し、この回転によって第１指部２０３の先端部は矢印７０２の方向に動く。
【００５３】
第１指部２０３が動き始めた状態において、第１指部２０３の先端は、物体７０１に接触しておらず、第１指部２０３に負荷は加わっていない。このため、歪リング２０８にも負荷は加わらず、歪リング２０８は変形せず、歪リング２０８は、ウォームホイール２０７と共に回転する。すなわち、ウォームホイール２０７が回転すると、その回転力が歪リング２０８を介して素直に第１指部２０３に伝達され、第１指部２０３が連結ピン２１８を軸とした回転を行う。また、この際、ストッパ用突起２１９の案内ガイドスリット２２０内における位置関係は変化しない。
【００５４】
図７（Ａ）に示す状態から第１指部２０３が矢印７０２の方向に動き、第１指部２０３の先端が物体７０１に接触すると、第１指部２０３に負荷が加わる（図７（Ｂ））。この負荷は、歪リング２０８に加わり、それにより、その歪リング２０８には、そのＣ形状を閉じようとする力が加わる。すなわち、ウォームホイール２０７の駆動が引き続き行われている状態において、第１指部２０３の先端が物体７０１に接触すると、歪リング２０８に力が加わり、歪リング２０８は変形し始める。ここでは、歪リング２０８が変形している間は、物体７０１が動かない場合を想定しているから、引き続きウォームホイール２０７が回転することで、突起２１２の部分２１２ａ（図７参照）が突起２１０の部分に対して相対的に動き、歪リング２０８は、そのＣ形状を閉じようとする変形を起こす。
【００５５】
なお、歪リング２０８のバネ定数と負荷との関係によっては、指先に負荷が加わった状態において、第１指部２０３の指先を矢印７０２の方向に動かそうとすると、歪リング２０８が変形しつつ、第１指部２０３の指先が動く場合も当然ある。また、負荷が小さく、それが歪リング２０８の変形を招かない程度のものであれば、歪リング２０８の変形は生じず、ウォームホイール２０７の回転に応じた第１指部２０３の動きを得ることができる。この場合、歪リング２０８の弾性機能は働かない。
【００５６】
さて、図７（Ｂ）に示すように、指先に負荷が加わり、歪リング２０８が変形し始めると、第１指部２０３は動かず、歪リング２０８の変形によってウォームホイール２０７の回転量が吸収される。そして、ウォームホイール２０７の回転にしたがって、ストッパ用突起２１９が案内ガイドスリット２２０内において相対的に移動する。勿論、負荷が軽く、歪リング２０８の変形を伴う第１指部２０３の動きが見られる場合も、ウォームホイール２０７が回転する程には、第１指部２０３が動かないので、その程度は小さいが、ストッパ用突起２１９が案内ガイドスリット２２０内において相対的に移動する。
【００５７】
図７（Ｂ）に示す状態から、ウォームホイール２０７がさらに回転すると、相対的にストッパ用突起２１９が案内ガイドスリット２２０内を更に動き、歪リング２０８の変形量が増大し、それに応じて、その反発力が増大する。この反発力により、第１指部２０３から物体７０１に対して、徐々に力が加わるコンプライアンスを伴った動作が実現される。
【００５８】
そして、さらにウォームホイール２０７が回転すると、図７（Ｃ）に示すように、案内ガイドスリット２２０の端部にストッパ用突起２１９の下側の段側面が接触し、それ以上歪リング２０８が変形できなくなる。そして、それ以降は、ウォームホイール２０７の回転力がストッパ用突起２１９から案内ガイド２２０の端部に直接伝わり、それにより第１指部２０３が連結ピン２１８を軸とした回転を行い、物体７０１を矢印７０２の方向に押すことになる。この際、ウォームホイール２０７の回転力が第１指部２０３に直接伝わるので、第１指部２０３の動きは、ウォームホイール２０７の回転量に線形に比例したものとなる。
【００５９】
こうして、第１指部２０３を利用して物体７０１を動かす際に、物体７０１に弾性を伴った力が加わり、歪リング２０８が所定量の変形を行った段階で、ウォームホイール２０７の駆動力が直接物体７０１に伝わる動作を実現することができる。つまり、力を加える対象にコンプライアンスを伴った作用を及ぼしつつ、力を加えることができる。
【００６０】
この動作によれば、ストッパ用突起２１９が、案内ガイドスリット２２０内に沿って動ける範囲において、ウォーム収納部２０９内のウォームが回転すると、それに噛み合ったウォームホイール２０７が回転し、その回転力が突起２１２を介して、歪リング２０８に伝わり、さらに突起２１０を介して、第１指部２０３に伝わる。そして、負荷がある程度大きい場合、歪リング２０８が負荷に応じて変形し、それにより歪リング２０８の弾性を介してウォームホイール２０７から第１指部２０３に対して駆動力が伝わる。そして、歪リング２０８が所定量変形し、ストッパ用突起２１９の下側の段側面が、案内ガイドスリット２２０の端部に接触する状態になると、ウォームホイール２０７の回転がストッパ用突起２１９を介して、第１指部２０３に直に伝わり、ウォームホイール２０７の回転に連動して第１指部２０３が動くようになる。したがって、第１指部２０３を利用して何かを掴もうとする場合、対象物に瞬間的に掴もうとする力が加わるのではなく、ある程度ソフトな接触が行われ、最終的に把握力が直に伝わるコンプライアンスを伴った把握動作を実現することができる。このような力の伝わり方は、物体に対してなじみの良い把握状態を実現する場合にも有効となる。
【００６１】
図２に示す構造は、第１指部２０３に外部から力が加わった際に、その力を柔軟に受け止める機能、つまりコンプライアンスを伴って力を受ける機能もある。以下、図７（Ａ）に示す状態において、第１指部２０３の先端に物体７０１が載せられ、指先に負荷が加わった状態を考える。この場合、まず歪リング２０８が変形してその重みを柔軟に受け止め、歪リング２０８が所定量の変形を起こした段階で、物体７０１の重みがウォームホイール２０７に直接加わる。つまり、ストッパ用突起２１９が、案内ガイドスリット２２０内に沿って動ける範囲においては、歪リング２０８の弾性を介して、第１指部２０３からウォームホイール２０７に対して、力の伝達が行われる。この状態では、第１指部２０３に加わった力は、歪リング２０８によってその一部または全部が吸収されるので、ウォームホイール２０７に柔軟性を伴った状態で力が伝達される。
【００６２】
そして、歪リング２０８がある程度変形し、ストッパ用突起２１９の下側の段側面が、案内ガイドスリット２２０の端部に接触すると、第１指部２０３の動きがウォームホイール２０７に直接伝わるようになる。こうして、第１指部２０３に力が加わった場合に、まず弾性的に第１指部２０３がその力を受け止め、しかる後にその力を直接ウォームホイール２０７が受け止める機構が実現される。このような仕組みにより、第１指部２０３が衝撃を受けた際に、それがベース部２０２に直接伝達されない緩衝機能を得ることができる。
【００６３】
このような緩衝機能は、瞬間的にウォームホイール２０７に負荷が加わることによるウォームホイール２０７やウォーム２２５の歯の破損や変形の防止、第１指部２０３を構成する構造体へ加わる衝撃の緩和、ベース部２０２や図示しない腕部構造に加わる衝撃の緩和、さらには物体７０１へ反作用として伝わる衝撃の緩和に効果的なものとなる。また、歪リング２０８の変形量の上限を制限することができるので、歪リング２０８を弾性体として機能する範囲内で変形させることができ、歪リング２０８の機能不全を防ぐことができる。このことは、関節機構の耐久性や信頼性を高める上で有用となる。
【００６４】
以上が第１指部２０３の動作の一例であるが、第２指部２０４、第３指部２０５も第１指部２０３と同様なコンプライアンスを伴った可動を行う。このため、ベース部２０２、第１指部２０３、第２指部２０４および第３指部２０５を利用しての物を掴もうとする動作（つまり手先部分２０１の把握動作）は、コンプライアンスを伴ったものとなる。また、各指部の動きがコンプライアンスを有しているので、物を掴む際になじみ性が発現し、物をしっかりと掴むことができる。また、指が可動方向への衝撃を受けた際に、その衝撃が吸収される緩衝機能を得ることができる。
【００６５】
また、負荷が加わらない状態で第１指部２０３を動かした場合、ストッパ用突起２１９が案内ガイドスリット２２０に対する相対的な移動を起こさないが、この場合は、ある程度の動作が行われた段階で、ストッパ用突起２１９の上側の段側面が、図５に示す平板部２０２ａのストッパ部２０２ｃまたは２０２ｄに接触し、それ以上のベース部２０２に対する第１指部２０３の動きが規制される。
【００６６】
このように、本実施形態の構成によれば、複雑なモータ駆動制御等を必要とせず、簡単な機械的な構造によって、力を及ぼす相手（対象物）に対して、柔軟に力を及ぼす（あるいは及ぼされる）ことができる機構をシンプルでコンパクトに実現することができる。このような機構は、人間が操作することを想定して設計された機器や重機の操作、介護や救助作業、人間に代わっての（あるいは人間と共同しての）各種の作業、物を掴んだり引っ張ったりする作業等にとって有効なものとなる。
【００６７】
なお、以上の説明において、ウォーム２２５（図７参照）を駆動する図示しないサーボモータの制御によるコンプライアンスの実現に関しては、特に言及していないが、ある程度のサーボモータの制御を組み合わせてコンプライアンスを実現してもよい。
【００６８】
また、図７においては、連結ピン２１８を軸として第１指部２０３が反時計回りに回転する場合の動作を例に挙げ説明を加えたが、逆に、第１指部２０３の下方に物体７０１が存在し、ウォームホイール２０７が時計回りに回転することで、連結ピン２１８を軸として第１指部２０３が時計回り動く場合であっても、同様なコンプライアンスを伴った動作を実現することができる。この場合、負荷が加わった際における歪リングの変形は、図７の場合とは逆の略Ｃ字型が開くような変形となる。また、ストッパ用突起２１９の案内ガイド２２０内における相対的な移動も図７に示す場合と逆の動きとなる。
【００６９】
また、弾性を備えた材料でストッパ用突起２１９を構成する、ストッパ用突起２１９の構造を、弾性を備えた構造とする、案内ガイド２２０の端部に弾性体を配置する、といった工夫を施すことで、ストッパ用突起２１９から案内ガイド２２０端部への力の伝達にコンプライアンスを与えることもできる。
【００７０】
（１−３）実施形態の優位性
上述したような、コンプライアンスを伴った指部の動作や、衝撃を受けた際の緩衝機能を、ベース２０２内に収めたサーボモータの制御だけで行うことは、ＣＰＵの演算速度の制限、消費電力の制限、そしてセンサ系や制御系を収めるスペースの制限等があることから、困難なこととなる。これに対して、図２に示すような歪リング２０８を用いる構成では、歪リング２０８が、ウォームホイール２０７内に収められた構造であるので、通常のウォームホイールを用いた関節構造と機構の専有容積は同じであり、機構の小型化を追求することができる。また、複雑な制御系を必要とせず、さらに機械的に受動的な動作をするので、電気制御のような応答遅延やチャタリングの問題がない、という優位性を得ることができる。また、コンプライアンス機構の要である歪リング２０８がウォームホイール２０７によって保護される構造となるので、高い信頼性および耐久性を得ることができる。
【００７１】
なお、電気的な制御と組み合わせた場合であっても、コンプライアンスを伴った動作がサーボモータの制御に１００％依存しないので、制御を複雑なものとする必要がなく、あるいは制御の負担が低減され、制御装置や制御ソフトウェアを簡略化することができる。そのために、１００％電子制御の場合に比較して、低消費電力化することができる。
【００７２】
よく知られているように、微妙なコンプライアンスを有した動きを、フィードバック技術を用いたサーボモータの制御のみによって実現することは、その動きが緩慢であっても大きな消費電力を要する。これに対して、本実施形態の歪リング（弾性部材）を用いた機械的な方法でコンプライアンスを実現（あるいは負担）する方法は、電子制御の負担を軽減することができ、制御系が消費する電力を低減することができる。このことは、実用に際してバッテリーで稼働することが必須である人型ロボット等において非常に有利となる。
【００７３】
（２） 第２の実施形態
図２に示す第１の実施形態において、歪リング２０８の外周に歪ゲージを配置し、歪リングの変形の程度を定量的に計測できるようにしてもよい。この場合、歪リング２０８の変形の程度から、第１指部２０３に加わっている負荷の値を定量的に知ることができる。この歪ゲージの出力は、ウォーム２２５（図４または図７参照）を駆動するサーボモータの制御、さらにはその他関節部分を駆動するサーボモータの制御に利用することができる。歪ゲージとしては、歪みや変形によって金属や半導体の抵抗値が変化するタイプのものを利用することができる。
【００７４】
（３） 第３の実施形態
以下、図２に示す構成において、歪リングの好ましくない変形を抑え、コンプライアンス特性を得るのに適した変形を生じさせることができるように工夫した歪リングの例を説明する。図８は、本実施形態におけるロボットの手先部分の概要を示す斜視図であり、図９は、本実施形態における歪リングを示す斜視図（Ａ）、側面図（Ｂ）、側面図（Ｃ）、側面図（Ｄ）、上面図（Ｅ）、および下面図（Ｆ）である。図９において、側面図（Ｂ）は斜視図（Ａ）をＺ軸方向から見た状態を示し、側面図（Ｃ）は斜視図（Ａ）をＹ軸方向から見た状態を示し、側面図（Ｄ）は斜視図（Ａ）を−Ｙ軸方向から見た状態を示し、上面図（Ｅ）は斜視図（Ａ）をＸ軸方向から見た状態を示し、下面図（Ｆ）は斜視図（Ａ）を−Ｘ軸方向から見た状態を示す。なお、図８において、図２と同じ符号が付与してある部分は、図２に関して説明した部分と同じである。
【００７５】
図８に示す構成は、図２に示す構成において、歪リング部分とそれを収納するウォームホイールの構造、さらに歪リングの第１指部への係合構造に改良を加えたものである。図９に示すように、歪リング８００は、その上面に上側拘束板９０２を備えている。この上側拘束板９０２は、上方から見て略Ｃ字型の歪リング８００の片面の半分を覆い、歪リング８００の２つの先端部の一方の部分９０３において、歪リング本体９０１と一体となり、他の部分では、歪リング本体９０１とスリット（割）９０５により分離されている。このため、上側拘束板９０２は、符号９０３の部分を支点として、他端がフリーな状態で歪リング本体９０１に対して固定されている。また、この符号９０３の部分に、歪リング８００を第１指部２０３に係合させるための貫通構造の係合孔８０４が形成され、さらに上側拘束板９０２の上面には、上側拘束板９０２の変形を防止するための変形防止用突起９０６が固定配置されている。
【００７６】
上記の面と反対側の歪リング８００の下面は、上側拘束板９０２と同じ構造の下側拘束板９０７が配置されている。下側拘束板９０７は、上側拘束板９０２と重ならない位置関係に配置されている。この構造によれば、図９（Ａ）および（Ｄ）に示されるように、歪リング８００の上面と下面において、水平方向（図中Ｚ軸延在方向）に上側拘束板９０２と下側拘束板９０７とがずれて互い違いに配置された構造となる。
【００７７】
図８に示すように、歪リング８００は、ウォームホイール２０７の内部に収められた状態において、ウォームホイール２０７の底面に形成された係合孔８０６および８０７に係合する。すなわち、係合孔８０３と係合孔８０６との位置を合わせた状態において、係合ピン８０１ｂを両孔に貫通させ、また図８では見えていない変形防止用突起９０８が係合孔８０７に嵌め込まれる。また、歪リング８００は、ウォームホイール２０７の内部に収められた状態において、第１指部２０３の平板部（フランジ部）２０３ａに形成された係合孔８０２および８０３に係合する。すなわち、係合孔８０４と係合孔８０２との位置を合わせた状態において、係合ピン８０１ａを係合孔８０２と係合孔８０４に貫通させ、また変形防止用突起９０６を係合孔８０３に嵌め込む。この構造によれば、上側拘束板９０２は、第１指部２０３の平板部（フランジ部）２０３ａに２箇所で拘束され、その変形が規制される。また、下側拘束板９０７は、ウォームホイール２０７の底面部分に２箇所で拘束され、その変形が規制される。
【００７８】
以上述べたように、図８および図９に示す構成において、リング形状の弾性部材（符号８００）は、その一方の面上に配置された第１の平板部材（符号９０２）と、その他方の面上に配置された第２の平板部材（符号９０７）とを備え、第１の平板部材（符号９０２）は、ギアリングであるウォームホイール２０７に拘束され、第２の平板部材（符号９０７）は、回動部材である第１指部２０３に拘束され、第１および第２の平板部材（符号９０２および９０７）は、上下に互い違いに配置されて互いに上下に重ならない部分を有し、第１および第２の平板部材（符号９０２および９０７）は、それぞれリング形状の弾性部材（符号８００）の一端および他端に固定され、それ以外の部分で弾性部材（符号８００）から浮いている構造を備えている。
【００７９】
ベース部２０２から歪リング８００を介して、第１指部２０３に力が加わる仕組み、さらにベース部２０２に対する第１指部２０３の動きは、第１の実施形態の場合と同じである。本実施形態が第１の実施形態の場合と異なるのは、第１指部２０３の動きに対応して発生する歪リング８００の変形において、効果的な力の伝達に好ましくない影響を与える歪リングの変形（歪リングの捻れるような変形）が抑えられる点にある。
【００８０】
例えば、ベース部２０２内の図示しないモータを回転させ、ウォームホイール２０７に回転力を伝達させて、負荷の加わった第１指部２０３を動かそうとする場合において、第１の実施形態の場合と同様に、最初の段階では第１指部２０３は動かずに歪リング８００が弾性変形するとする。この際、図９のＹ−Ｚ平面内における変形のみが生じるのが理想であるが、実際には、図９のＸ軸方向における変形を生じさせようとする力も働く。このＸ軸方向における変形を生じさせようとする力は、歪リング本体９０１を捻り変形させる要因となる。この捻り変形は、歪リングの弾性変形の範囲を狭め、また歪ゲージによる正確な歪み量の計測を阻害する要因となる。しかしながら、このＸ軸方向の変形を完全に押さえ込もうとすると、本来必要であるＹ−Ｚ平面内における変形も抑えられてしまう不都合が発生する。
【００８１】
しかしながら、本実施形態においては、歪リング本体９０１の上面の半分は、変形が規制された上側拘束板９０２によって面で押さえられ、またこの上面の半分と上下に重ならない下面の半分は、やはり変形が規制された下側拘束板９０７によって面で押さえられるので、上述した歪リング本体９０１の捻り変形が抑制される。また、上下それぞれの面の半分は、拘束板によって押さえられていないので、上述したＸ軸方向の変形が多少許容される。さらに、各拘束板は、歪リング本体９０１の端部に固定され、それ以外の部分では歪リング本体９０１からスリット（例えば符号９０５）によって分離され浮いているので、歪リング本体９０１は、拘束板によって面で押さえられつつ、そのＹ−Ｚ平面内における変形がある程度許容される。このため、歪リング本体９０１のＸ軸方向の変形を押さえつつ、Ｙ−Ｚ平面内における変形が生じさせることができ、歪リング８００の理想的な変形を追求することができる。
【００８２】
（４）第４の実施形態
弾性部材の他の例を説明する。ここでは、弾性部材としてトーションバー（捻り棒）を採用する例を説明する。図１０は、弾性部材を収めたウォームホイール部分の他の構成を示す斜視図（Ａ）および断面図（Ｂ）である。
【００８３】
図１０に示す構造は、図２に示すウォームホイール２０７の内部構造を改造し、トーションバーによって、ウォームホイールから第１指部２０３（図２参照）に力が伝達されるようにしたものである。すなわち、図１０に示す構成においては、ウォームホイール２０７の内側が円柱状凹型にくりぬかれ、その内面２５５に円柱部材２５１が遊嵌されている。円柱部材２５１の底部中心には、トーションバー２５３の上端が固定され、トーションバー２５３の下端は、ウォームホイール２０７の底面上側の中心に固定されている。つまり、円柱部材２５１は、ウォームホイール２０７内に対して、トーションバー２５３を介して固定されている。
【００８４】
円柱部材２５１の上面２５２の縁近くには、突起２５７が固定配置されている。この突起２５７は、図２における突起２１０と同じ役割を果たす部材であり、組み立て時に図２に示す支持孔２１１に遊嵌される。ウォームホイール２０７の内側には、張り出し部２０７ｂが設けられ、その上面と円柱部材２５１の下面との間に歪みゲージ２５８が掛け渡されている。つまり、歪みゲージ２５８の一端が張り出し部２０７ｂの上面に固定され、他端が円柱部材２５１の下面に固定されている。円柱部材２０７の下面には嵌め込み軸２５４が一体化され、組み立て時において、この嵌め込み軸が、図２の平板部（フランジ部）２０２ｂに形成された関節軸の軸孔２１７に遊嵌される。なお、ウォームホイール２０７と平板部２０２ｂとの間にスペーサ２２２を挟む点は、第１の実施形態の場合と同じである。
【００８５】
また、図２の場合と同様に、ウォームホイール２０７の外周２０７ａには、ウォームと噛み合う歯（ギアの歯）が形成され、またウォームホイール２０７の縁部分には、第１指部２０３の案内ガイド用スリット（長穴）２２０に遊嵌するストッパ用突起２１９を備えている。
【００８６】
図２に示す構造において、図１０に示すウォームホイール２０７を採用しても、第１の実施形態の場合と同様のコンプライアンス機能を得ることができる。すなわち、ウォームホイール２０７にウォームから回転力が伝達されると、それはトーションバー２５３を介して、円柱部材２５１に伝わり、突起２５７を回転させようとする。組み立て状態において、突起２５７は、支持孔２１１に遊嵌しているので、この回転力が第１指部２０３を回転させようとする力となる。ここで、第１指部２０３に負荷が加わっていると、その負荷の大きさに応じて、トーションバー２５３が弾性的に捻れ、捻りバネとして機能する。この弾性によってコンプライアンスが発生する。
【００８７】
そして負荷を受けた状態で、なおもウォームホイール２０７が回転し、トーションバー２５３の捻れがある程度の大きさになると、ストッパ用突起２１９の下側の段側面が第１指部２０３の案内ガイド用スリット（長穴）２２０の端部に達し、それ以上はトーションバー２５３の捻れが進まなくなる。そして、その後は、ストッパ用突起２１９から、第１指部２０３に力が伝わることで、ウォームホイール２０７の回転力が直接第１指部２０３に伝達されるようになる。
【００８８】
また、トーションバー２５３の捻れは、ウォームホイール２０７に対する円柱部材２５１の相対的な回転に対応するので、歪みゲージ２５８の出力から、トーションバー２５３の捻れ具合を検出することができる。そして、この歪みゲージ２５８の出力から、負荷の程度を検出することができる。
【００８９】
本実施形態においては、弾性部材としてトーションバーを採用したが、その代わりに捻りコイルバネや渦巻バネを採用することもできる。また、トーションバー２５３の捻れを直接検出する構成としてもよい。
【００９０】
（５） 第５の実施形態
図２に示す案内ガイド用スリット２２０の形状は、ストッパ用突起２１９をガイドする形状に限定されるものではない。例えば、案内ガイド用スリット２２０の形状をもっと幅広な開口形状としてもよい。この場合もこの開口形状の端部でストッパ用突起が係止され、ウォームホイール２０７に対する第１指部２０３の可動範囲が規制される機能を得ることができる。なお、動作の内容は、第１の実施形態で説明した場合と同じである。
【００９１】
（６）第６の実施形態
以下、本発明を利用した移動ロボットの一例として２足歩行型の人型ロボットの例を説明する。本実施形態において説明する移動ロボットは、自律制御型の２足歩行可能な人型ロボットである。この移動ロボットは、工事現場等における作業や介護作業といった人間がこれまで行ってきた作業を行うことを目的としている移動ロボットの一例である。
【００９２】
図１１は、本実施形態の移動ロボットの全体の概略を示す正面図であり、図１２は、左側面図であり、図１３は、背面図である。図１１〜図１３に示す移動ロボット１５０は、上半身胴体部１５１と下半身胴体部１５２が連結された構造を備えている。上半身胴体部１５１は人体の胸郭部分に相当し、下半身胴体部１５２は腰部分に相当する。上半身胴体部１５１と下半身胴体部１５２とは、腰関節部１５３によって連結され、上半身胴体部１５１は、下半身胴体部１５２に対して捻り回転（Yaw軸回転）および前後回転（Pitch軸回転）が行えるようになっている。なお、Yaw軸回転というのは、人体でいうと、直立した状態における鉛直軸回りの回転のことをいう。またPitch軸回転というのは、人体でいうと、人体を左右水平方向に貫く軸回りの回転のことをいう。ちなみに、人体の体を前後に貫く軸回りの回転のことをロール軸回転という。
【００９３】
下半身胴体部１５２には、右股関節１５４を介して右脚部１５５が、左股関節１５６を介して左脚部１５７が連結されている。また、上半身胴体部１５１には、右肩関節１５８を介して右腕部１５９が連結され、左肩関節１６０を介して左腕部１６１が連結され、首１６２を介して頭部１６３が連結されている。また、下半身胴体部１５２の内部には、動力源となるバッテリーが格納されている。
【００９４】
そして、右腕部１５９の先端には、右腕の手先部分１６４を備え、左腕部１６１の先端には、左腕の手先部分２０１を備えている。この左腕の手先部分２０１の詳細は、図２に示した構造を有している。また、右腕の手先部分１６４も左右の対称性が逆なだけで左腕の手先部分２０１と同様な構造を備えている。
【００９５】
人型ロボット１５０は、人間に代わって各種の作業を行うことを目的としているので、その手先がコンプライアンスを伴った動作を行えることは好ましい。例えば、物を掴んだり、手先にロープ等を引っかけて物を引き上げたりする際においても、コンプライアンスを伴った力の加え加減を実現できる。このコンプライアンスを伴った手先の動作は、人間が扱うことを想定して設計された各種のレバー操作等においても有効なものとなる。例えば、災害現場等での重機操作等において、円滑な重機の操作を行う上で有効に機能する。このように、本発明をロボットの手先に適用することで、人間に近い柔軟性を有した動きをする手先を得ることができる。また本発明を利用した場合、この柔軟性の発現が、複雑な制御技術によるものでないという点も、低消費電力、低コスト、高信頼性を追求する上で優位となる。なお、ここでは、ロボットの手先部の関節に、本発明を適用した例を説明したが、他の関節部分に本発明の構成を適用することもできる。
【産業上の利用可能性】
【００９６】
本発明は、各種のロボットにおけるハンド機構における関節構造（例えば手先の関節構造）に利用することができる。
【図面の簡単な説明】
【００９７】
【図１】発明の原理を説明する概念図である。
【図２】発明を利用したロボットの手先部分の概要を示す斜視図である。
【図３】弾性部材の一例である歪リングの一例を示す上面図（Ａ）と断面図（Ｂ）である。
【図４】図２をＸ軸方向から見た分解状態（Ａ）と組み立て状態（Ｂ）の側断面図である。
【図５】図２におけるＺ軸方向から見た上面図である。
【図６】図２におけるＸ軸方向から見た側面図である。
【図７】第１指部２０３の動作の過程の一例を説明する概念図である。
【図８】ロボットの手先部分の概要を示す斜視図である。
【図９】他の実施形態における歪リングを示す斜視図（Ａ）、側面図（Ｂ）、側面図（Ｃ）、側面図（Ｄ）、上面図（Ｅ）、および下面図（Ｆ）である。
【図１０】弾性部材を収めたウォームホイール部分の他の構成を示す斜視図（Ａ）および断面図（Ｂ）である。
【図１１】発明を適用した人型ロボットの概要を示す正面図である。
【図１２】発明を適用した人型ロボットの概要を示す側面図である。
【図１３】発明を適用した人型ロボットの概要を示す背面図である。
【符号の説明】
【００９８】
１０１…関節軸、１０２…回動部材、１０３…ウォームホイール（回転駆動体）、１０４…ウォーム、１０５…バネ（弾性部材）、１０６…凸部、１０７…開口、１０８…物体、１０９…ウォームホイールの回転方向、２０１…手先部分、２０２…ベース部（関節基部）、２０２ａ…平板部（フランジ部）、２０２ｂ…平板部（フランジ部）、２０３…第１指部、２０４…第２指部、２０５…第３指部、２０６…第１指部関節、２０７…ウォームホイール、２０７ａ…ウォームホイールの外周、２０７ｂ…ウォームホイール内側の張り出し部、２０８…歪リング、２０９…ウォーム収納部、２１０…突起、２１１…支持孔、２１２…突起、２１３…内側円筒部材、２１５…軸孔、２１６…軸孔、２１７…軸孔、２１８…連結ピン、２１９…ストッパ用突起、２２０…案内ガイド用スリット（長穴）、２２２…スペーサ、２２３…軸（ウォーム軸）、２２４…支持孔、２２５…ウォーム、２３１…モータ収納部、２３２…モータ、２３３…ウォーム収納部、２３４…ウォームホイール、２３５…関節軸、２３６…関節軸、２３８…案内ガイドスリット、２３９…モータ、２５１…円柱部材、２５２…円柱部材の上面、２５３…トーションバー、２５４…嵌め込み軸、２５５…ウォームホイールの内面、２５７…突起、２５８…歪みゲージ、７０１…物体（指先に負荷を与える物体）、８００…歪リング、８０１ａ…係合ピン、８０１ｂ…係合ピン、８０２…係合孔、８０３…係合孔、８０４…係合孔、８０６…係合孔、８０７…係合孔、９０１…歪リング本体、９０２…上側拘束板、９０３…歪リング先端部の一方の部分、９０６…変形防止用突起、９０７…下側拘束板、９０８…変形防止用突起。
【図１】
0004535979.tif 000002
【図２】
0004535979.tif 000003
【図３】
0004535979.tif 000004
【図４】
0004535979.tif 000005
【図５】
0004535979.tif 000006
【図６】
0004535979.tif 000007
【図７】
0004535979.tif 000008
【図８】
0004535979.tif 000009
【図９】
0004535979.tif 000010
【図１０】
0004535979.tif 000011
【図１１】
0004535979.tif 000012
【図１２】
0004535979.tif 000013
【図１３】
0004535979.tif 000014